(57)【特許請求の範囲】
【請求項１】
サーバ装置からネットワークを介して情報の提供を受ける情報通信端末であって、
前記サーバ装置からの提供情報を受信する情報受信手段と、
前記提供情報を一時的に記憶する第１の記憶手段と、
前記第１の記憶手段に記憶された前記提供情報に基づいて、前記提供情報に応じた処理を実行する実行手段と、
ユーザの指示に応じて、前記実行手段による処理の結果得られる情報を記憶する第２の記憶手段と、
前記第２の記憶手段に記憶された情報と、前記サーバ装置から再度受信され、前記第１の記憶手段に記憶された提供情報とに基づいて、前記第２の記憶手段に記憶された情報を用いて、前記サーバ装置から再度受信され、前記第１の記憶手段に記憶された前記提供情報に応じた処理を途中から実行するか否かを判断する判断手段と、
を備え、
前記判断手段により、前記サーバ装置から再度受信され、前記第１の記憶手段に記憶された前記提供情報に応じた処理を途中から実行すると判断された場合、前記実行手段は、前記第２の記憶手段に記憶されている情報を用いて、前記サーバ装置から再度受信され、前記第１の記憶手段に記憶された前記提供情報に応じた処理を途中から実行する
ことを特徴とする情報通信端末。
【請求項２】
前記判断手段により、第２の記憶手段に記憶された情報を用いて前記提供情報に応じた処理をその途中から実行しないと判断された場合、前記実行手段は、前記第１の記憶手段に記憶された提供情報を用いて前記提供情報に応じた処理をその初めから実行する
ことを特徴とする請求項１に記載の情報通信端末。
【請求項３】
前記実行手段は、ユーザの指示に応じて、前記提供情報を用いた処理を終了することができるものであり、
前記第１の記憶手段は、前記提供情報を用いた処理の終了の後に、前記提供情報が消去されるものである
ことを特徴とする請求項１に記載の情報通信端末。
【請求項４】
前記第１の記憶手段は、前記情報通信端末の電源が落とされた場合に記憶情報が消滅するものであり、
前記第２の記憶手段は、前記情報通信端末の電源が落とされた場合に記憶情報を保持するものである
ことを特徴とする請求項１に記載の情報通信端末。
【請求項５】
サーバ装置と情報通信端末とがネットワークを通じて接続され、前記サーバ装置は、前記情報通信端末からの要求に応じた情報を提供するようにする情報通信システムであって、
前記サーバ装置は、
前記情報通信端末からの要求に応じた提供情報を送出する情報送出手段を備え、
前記情報通信端末は、
前記サーバ装置からの前記提供情報を受信する情報受信手段と、
前記提供情報を一時的に記憶する第１の記憶手段と、
前記第１の記憶手段に記憶された前記提供情報に基づいて、前記提供情報に応じた処理を実行する実行手段と、
ユーザの指示に応じて、前記実行手段による処理の結果得られる情報を記憶する第２の記憶手段と、
前記第２の記憶手段に記憶された情報と、前記サーバ装置から再度受信され、前記第１の記憶手段に記憶された提供情報とに基づいて、前記第２の記憶手段に記憶された情報を用いて、前記サーバ装置から再度受信され、前記第１の記憶手段に記憶された前記提供情報に応じた処理を途中から実行するか否かを判断する判断手段と、
を備え、
前記判断手段により、前記サーバ装置から再度受信され、前記第１の記憶手段に記憶された前記提供情報に応じた処理を途中から実行すると判断された場合、前記実行手段は、前記第２の記憶手段に記憶されている情報を用いて、前記サーバ装置から再度受信され、前記第１の記憶手段に記憶された前記提供情報に応じた処理を途中から実行する
ことを特徴とする情報通信システム。
【請求項６】
サーバ装置と情報通信端末とがネットワークを通じて接続され、前記サーバ装置は、前記情報通信端末からの要求に応じた情報を提供するようにする情報通信方法であって、
前記サーバ装置においては、
前記情報通信端末からの要求に応じた提供情報を送出する情報送出工程を備え、
前記情報通信端末においては、
前記サーバ装置からの前記提供情報を受信する情報受信工程と、
前記提供情報を一時的に記憶する第１の記憶手段に記憶する第１の記憶工程と、
前記第１の記憶手段に記憶された前記提供情報に基づいて、前記提供情報に応じた処理を実行する実行工程と、
ユーザの指示に応じて、前記実行手段による処理の結果得られる情報を第２の記憶手段に記憶する第２の記憶工程と、
前記第２の記憶手段に記憶された情報と、前記サーバ装置から再度受信され、前記第１の記憶手段に記憶された提供情報とに基づいて、前記第２の記憶手段に記憶された情報を用いて、前記サーバ装置から再度受信され、前記第１の記憶手段に記憶された前記提供情報に応じた処理を途中から実行するか否かを判断する判断工程と、
を備え、
前記判断工程において、前記サーバ装置から再度受信され、前記第１の記憶手段に記憶された前記提供情報に応じた処理を途中から実行すると判断した場合、前記実行工程においては、前記第２の記憶手段に記憶されている情報を用いて、前記サーバ装置から再度受信され、前記第１の記憶手段に記憶された前記提供情報に応じた処理を途中から実行する
ことを特徴とする情報通信方法。
【発明の詳細な説明】
【０００１】
【発明の属する技術分野】
この発明は、例えば、情報通信端末からの要求に応じて、例えばファクシミリ通信や電子メール通信あるいは情報提供サービスなどのデータ通信サービスを行う情報通信システム、情報通信方法、情報通信端末に関する。
【０００２】
【従来の技術】
最近、ＰＨＳ端末などの携帯無線通信端末の普及と、これら携帯無線通信端末を用いたデータ通信の伝送速度の高速化により、音声通信だけでなく、例えばテキストデータや画像データなどの種々のデータを無線通信するようにする無線データ通信サービスが注目されている。
【０００３】
例えば、ＰＨＳ端末を使用する例では、伝送速度が３２ｋビット／秒でのデータ通信が可能となり、アナログ電話回線でモデムを使用した場合の伝送速度の２８．８ｋビット／秒または３３．６ｋビット／秒と同程度の伝送速度となり、電子メールのやり取りや、ファクシミリ通信などが、携帯無線通信端末により屋外から行える環境が整ってきている。
【０００４】
【発明が解決しようとする課題】
ところで、前述のように、携帯無線通信端末を用いて、電子メール通信やファクシミリ通信などを利用する場合、携帯無線通信端末の使用者宛ての電子メールやファクシミリデータは、当該携帯無線通信端末のメモリに取り込まれ、これが携帯無線通信端末の表示画面に表示されるなどして利用される。
【０００５】
しかし、電子メールやファクシミリデータが取り込まれる携帯無線通信端末のメモリが、例えば、ＤＲＡＭ（Ｄｙｎａｍｉｃ  Ｒａｎｄｏｍ  Ａｃｃｅｓｓ  Ｍｅｍｏｒｙ）などの揮発性メモリである場合、携帯無線通信端末の主電源が落とされるなどして、この揮発性メモリに電源電圧が供給されなくなると、揮発性メモリに記憶されたデータは消滅してしまう。
【０００６】
したがって、電子メールやファクシミリデータが記憶されている揮発性メモリに電源電圧が供給されていて、揮発性メモリに取り込んだ電子メールやファクシミリデータが保持されている間だけしか、携帯無線通信端末に取り込んだ電子メールやファクシミリデータを利用することができないという不都合が生じる。
【０００７】
そこで、揮発性メモリに常時電源電圧を供給するようにすることも考えられるが、携帯無線通信端末の場合、電源電圧の供給源は、電池などに限られるため、この電池が消耗してしまった場合には、揮発性メモリに記憶されたデータを保持しておくことはできない。このため、携帯無線通信端末を用いて外出先において取り込んだ自分宛てのファクシミリデータを帰宅後に利用しようとしても、電池が消耗してしまっており、揮発性メモリに取り込んだファクシミリデータが消滅してしまい、見ることができないなどの不都合が発生する。
【０００８】
そこで、携帯無線通信端末のメモリとしてフラッシュメモリなどの不揮発性メモリを用い、電子メールやファクシミリデータなどの携帯無線通信端末に取り込む情報のすべてをこの不揮発性メモリに記憶するようにすることが考えられる。しかし、不揮発性メモリは、揮発性メモリに比べ高価であるため、携帯無線通信端末の価格が高くなり、安価に携帯無線通信端末を提供できなくなる。
【０００９】
また、不揮発性メモリは、揮発性メモリに比べアクセスに時間がかかるため、不揮発性メモリに大量の電子メールやファクシミリデータなどの情報を記憶するようにした場合などにおいては、この不揮発性メモリに記憶した電子メールやファクシミリデータなど情報を用いた処理に時間がかかるなどの不都合が生じる場合もある。
【００１０】
また、処理の途中で何等かの都合で処理を中止しなければならないときも、電子メールやファクシミリデータなどの情報をＤＲＡＭなどの揮発性メモリに記憶している場合には、前述したように、この揮発性メモリに電源電圧が供給されなくなったときに、これに記憶されているデータは消滅してしまうため、中止した処理を再度行う場合には、最初から処理を開始しなければならない。しかし、取得した電子メールやファクシミリデータなどの情報をフラッシュメモリなどの揮発性メモリに記憶するようにした場合には、前述した問題点と同じ問題点がある。
【００１１】
この発明は、以上の点にかんがみ、上記問題点を一掃し、情報通信端末の使用者の要求に応じた処理を確実かつ迅速に行うことができる情報通信システム、情報通信方法、この情報通信システムおよび情報通信方法に使用する情報通信端末を提供することを目的とする。
【００１２】
【課題を解決するための手段】
上記課題を解決するため、請求項１に記載の発明の情報通信端末は、
サーバ装置からネットワークを介して情報の提供を受ける情報通信端末であって、
前記サーバ装置からの提供情報を受信する情報受信手段と、
前記提供情報を一時的に記憶する第１の記憶手段と、
前記第１の記憶手段に記憶された前記提供情報に基づいて、前記提供情報に応じた処理を実行する実行手段と、
ユーザの指示に応じて、前記実行手段による処理の結果得られる情報を記憶する第２の記憶手段と、
前記第２の記憶手段に記憶された情報と、前記サーバ装置から再度受信され、前記第１の記憶手段に記憶された提供情報とに基づいて、前記第２の記憶手段に記憶された情報を用いて、前記サーバ装置から再度受信され、前記第１の記憶手段に記憶された前記提供情報に応じた処理を途中から実行するか否かを判断する判断手段と、
を備え、
前記判断手段により、前記サーバ装置から再度受信され、前記第１の記憶手段に記憶された前記提供情報に応じた処理を途中から実行すると判断された場合、前記実行手段は、前記第２の記憶手段に記憶されている情報を用いて、前記サーバ装置から再度受信され、前記第１の記憶手段に記憶された前記提供情報に応じた処理を途中から実行する
ことを特徴とする。
【００１３】
この請求項１に記載の発明の情報通信端末によれば、サーバ装置からの提供情報は、第１の記憶手段に一時記憶される。第１の記憶手段に一時記憶された提供情報は、実行手段により用いられる。そして、ユーザの指示に応じて、実行手段による処理の結果得られる情報が、第２の記憶手段に記憶される。
【００１４】
そして、第２の記憶手段に記憶される情報に基づいて、第１の記憶手段に記憶した提供情報に基づく処理をその途中から開始することができるか否か（第２の記憶手段に記憶される情報をさらに用いて提供情報に応じた処理を実行するか否か）が判断手段により判断され、第１の記憶手段に記憶した提供情報に基づく処理をその途中から開始することができると判断された場合に、実行手段により、第２の記憶手段に記憶される情報を用いて提供情報に応じた処理が実行される。
【００１５】
これにより、第１の記憶手段に一時記憶されて利用された提供情報を利用した結果、保存が必要になった情報である処理の途中結果などの提供情報に対する関連情報を第２の記憶手段に記憶しておくようにし、後に、サーバ装置から再度同じ提供情報の提供を受けて実行するようにした場合には、第２の記憶手段に記憶されている情報に基づいて、提供情報に基づく処理を途中から開始するか、あるいは、初めから開始するかを適切に判断し、提供情報に応じた処理を途中から開始したり、初めから開始したりすることができるようにされる。
【００２９】
【発明の実施の形態】
以下、この発明による情報通信システム、情報通信方法および情報通信端末の実施の形態を、図を参照しながら説明する。
【００３０】
この実施の形態においては、１個の共通サーバ装置に対して、このサーバ装置と契約関係にある複数個の情報通信端末がネットワークを通じて接続されて情報通信システムが構成される。
【００３１】
この実施の形態の場合、情報通信端末は、携帯無線通信端末の構成とされ、共通サーバ装置からの情報提供サービスなどの提供サービスを受ける機能を備えるほか、ＰＨＳ（パーソナル・ハンディホン・システム）の電話機能およびファクシミリ、電子メールのデータ通信機能をも備える構成とされる。そして、情報提供サービス、ファクシミリ通信、電子メール通信は、個々の携帯無線通信端末と前記サーバ装置とが協働することにより、行われるように構成されている。
【００３２】
そして、詳しくは後述するように、この実施の形態の携帯無線通信端末は、第１の記憶手段として、いわゆる揮発性メモリであるＤＲＡＭを備えると共に、第２の記憶手段として、いわゆる不揮発性メモリであるフラッシュメモリとを備えている。
【００３３】
そして、この実施の形態の携帯無線通信端末は、サーバ装置から提供を受ける携帯無線通信端末の使用者宛てのファクシミリ受信データなどをＤＲＡＭに一時記憶して使用するようにすると共に、携帯無線通信端末の使用者により保存が指示された情報を不揮発性のフラッシュメモリに記憶するようにする。
【００３４】
例えば、サーバ装置から提供を受けた携帯無線通信端末の使用者宛てのファクシミリ受信データのうち、携帯無線通信端末の使用者にとって重要な情報であり、繰り返して見る必要のあるファクシミリ受信データや、サーバ装置から提供を受けた情報がゲームのプログラムである場合には、そのゲームを中断した時点のゲームの途中結果などをフラッシュメモリに保存するようにする。
【００３５】
つまり、サーバ装置から携帯無線通信端末に対して提供された情報のすべてを携帯無線通信端末のフラッシュメモリに保存することはせずに、サーバ装置から提供を受けた情報を利用し、携帯無線通信端末の使用者により保存が指示された情報のみをフラッシュメモリに記憶し、サーバ装置から繰り返し提供を受けることができる情報などはフラッシュメモリに保存しないようにする。
【００３６】
このようにすることによって、フラッシュメモリを効率よく使用するようにし、記憶容量の大きなフラッシュメモリを携帯無線通信端末に搭載しなくてもよいようにされている。
【００３７】
［ネットワークシステムの説明］
図１は、この発明の実施の形態が適用された通信ネットワークシステムの概念構成を説明するための図であり、この図１において、１は共通サーバ装置と契約関係がある携帯無線通信端末、２は共通サーバ装置である。複数個の携帯無線通信端末１と、共通の共通サーバ装置２とは、携帯無線通信端末用のネットワーク３と、このネットワーク３に対して、１〜複数個のアクセスポイント４を通じて接続される専用基幹ネットワーク５を通じて接続される。
【００３８】
携帯無線通信端末用ネットワーク３には、共通サーバ装置２と契約関係にない他の携帯無線通信端末も接続されるが、後述するような共通サーバ装置２からのデータ通信サービスを受けることができる携帯無線通信端末は、予め、この共通サーバ装置２と契約関係が結ばれた携帯無線通信端末１のみである。共通サーバ装置２との契約関係がない携帯無線通信端末との混同を避けるため、以下の説明においては、共通サーバ装置２と契約関係にある携帯無線通信端末を会員端末と呼ぶことにする。
【００３９】
複数個の会員端末１および他の同種の携帯無線通信端末のそれぞれは、例えば電波の届く範囲を考慮した所定のエリア単位に設けられる無線基地局６に対して無線接続される。無線基地局６同志の間の接続など、携帯無線通信端末用のネットワーク３では、例えば光ケーブルが用いられる。
【００４０】
専用基幹ネットワーク５に対しては、このネットワーク５を管理するネットワーク管理サーバ装置７が接続される。このネットワーク管理サーバ装置７は、共通サーバ装置２と会員端末１との間の、いわゆるルーティングを管理する。したがって、ネットワーク管理サーバ装置７でのルーティング管理上から見たときには、共通サーバ装置２は、専用基幹ネットワーク５に接続される端末装置の一つとして位置づけることができる。なお、この場合、このネットワーク管理サーバ装置７は、インターネット８に対しても接続される。
【００４１】
そして、この実施の形態においては、ネットワーク管理サーバ装置７は、共通サーバ装置２に対して直接的にも接続され、会員端末１からの共通サーバ装置２へのアクセス履歴などを、ネットワーク管理サーバ装置７から共通サーバ装置２に送るように構成されている。すなわち、この実施の形態では、会員端末１の課金ログ収集などの会員総合管理は、共通サーバ装置２が行うように構成している。
【００４２】
つまり、この実施の形態の場合、会員端末１は、共通サーバ装置２と契約関係があるのであって、ネットワーク管理サーバ装置７と契約関係にあるのではない。そして、共通サーバ装置２は、会員端末１のネットワーク接続上の管理をネットワーク管理サーバ装置７に委託するものであって、共通サーバ装置２とネットワーク管理サーバ装置７との間にも契約関係がある。したがって、共通サーバ装置２は、他の専用基幹ネットワークおよびそのネットワーク管理サーバ装置とも、前述の専用基幹ネットワーク５およびそのネットワーク管理サーバ装置７と全く同様の関係を持って接続されることが可能である。
【００４３】
この実施の形態の場合、共通サーバ装置２から見たときには、個々の会員端末１に対しては、特定の専用基幹ネットワークを割り当てて、各会員端末１からの共通サーバ装置２へのアクセスは、必ず、その会員端末用に割り当てた専用基幹ネットワークを通るように管理するのであるが、会員端末１から見た場合には、共通サーバ装置２とネットワーク管理サーバ装置７との間の契約関係は全く無関係であるので、会員端末１は、単に共通サーバ装置２だけにアクセスして共通サーバ装置２だけにより管理されているようになる。
【００４４】
このようなネットワーク管理構成によれば、例えば、共通サーバ装置２に個々のネットワーク管理サーバ装置７が備えるサービス機能をすべて持たせるようにすることにより、会員端末１の使用者は、各個のネットワーク管理サーバ装置７が備える種々のサービスを受けるために、個々のネットワーク管理サーバ装置７に対して契約するのではなく、共通サーバ装置２と契約関係を生じさせるだけで、この共通サーバ装置２が持つ種々のサービスを受けられるようになり、非常に便利である。
【００４５】
そして、共通サーバ装置２は、公衆回線網９に接続され、後述するように、会員端末１が、この公衆回線網９に接続されるファクシミリ端末やパーソナルコンピュータなどの通信端末１０との間で通信データの送受を行うことができるようにするための機能を備えている。
【００４６】
さらに、この実施の形態においては、共通サーバ装置２は、会員端末１に対して、情報提供サービスを行うために、提供情報のデータベースの一部となる記憶部を備える。また、共通サーバ装置２は、コンテンツ提供装置１１と接続されており、このコンテンツ提供装置１１から、会員への提供情報のデータベースの一部となる情報を取得して、会員端末１に提供するようにする。
【００４７】
コンテンツ提供装置１１は、それぞれ固有の提供情報を有する提供会社が備えるもので、共通サーバ装置２を有するサービス会社との契約により、共通サーバ装置２を通じて会員端末１に、その情報を提供するものである。図１では、コンテンツ提供装置１１は、１個だけ示したが、複数個のコンテンツ提供装置１１が共通サーバ装置２に接続される場合も勿論ある。
【００４８】
また、共通サーバ装置２とコンテンツ提供装置１１との接続態様は、専用線を通じて接続される場合と、インターネットなどのネットワークを通じて接続される場合とがある。
【００４９】
この実施の形態の場合、これら専用線やネットワークを通じて共通サーバ装置２に接続されるコンテンツ提供装置１１からの情報は、共通サーバ装置２が、会員端末１から、そのサービス提供要求があったときに、前記コンテンツ提供装置１１にアクセスして取得し、要求してきた会員端末１に提供するようにする。
【００５０】
コンテンツ提供装置１１からの情報を、随時、取得して、共通サーバ装置２の内蔵メモリ部に格納して、その内蔵メモリ部の記憶内容を最新にしておくことも考えられるが、コンテンツ提供装置１１が多数になり、提供情報が多量になると共通サーバ装置２のメモリ部を大規模にしなければならなくなるという問題がある。
【００５１】
これに対して、この実施の形態のように、会員端末１からの要求があったときに、その要求のあった情報のみをコンテンツ提供装置１１から共通サーバ装置２が取得して会員端末１に提供するようにすれば、共通サーバ装置２のメモリ部の規模は大規模にならない。また、コンテンツ提供装置１１が備える情報が常時更新されていれば、共通サーバ装置２は、単に、コンテンツ提供装置１１から情報を取得するだけで、常に最新の情報を会員端末１に提供することができる。
【００５２】
そして、この実施の形態では、共通サーバ装置２が、１〜複数個のコンテンツ提供装置１１に接続されていて、これらのコンテンツ提供装置１１からの情報を集中的に集めて、会員端末１に提供する構成であるので、会員端末１では、それぞれのコンテンツ提供装置１１に対して契約したりする必要はなく、また、複数個のコンテンツ提供装置１１からの情報の形式などに関係なく、共通サーバ装置２から必要な情報を受け取ることができる。
【００５３】
なお、固有の提供情報を有する提供会社によるコンテンツの共通サーバ装置２への提供方法としては、上述のように専用線やネットワークを通じて接続して共通サーバ装置２に提供するのではなく、コンテンツ提供会社がＣＤ−ＲＯＭなどの記録媒体を共通サーバ装置２に提供して、共通サーバ装置２の記憶部に記憶させておくようにする態様もある。
【００５４】
この実施の形態においては、携帯無線通信端末１の使用者と、共通サーバ装置２の所有会社との契約が行われると、前述したように、携帯無線通信端末１は会員端末１となる。例えば、会員端末１を使用者が購入することが、共通サーバ装置２に対する契約関係の発生とするようにすることができる。
【００５５】
すなわち、携帯無線通信端末を会員端末１として使用者が購入するときに、その会員端末１には、前述したように、各端末ごとの特定の専用基幹ネットワークを通じた共通サーバ装置２のアドレス情報が予め与えられ、フラッシュＲＡＭなどの不揮発性メモリに格納される。また、この不揮発性メモリには、会員端末であることを示すと共に、会員端末の使用者を識別するための会員番号などの会員ＩＤやパスワードなどの識別情報（会員識別情報）も格納される。ただし、この共通サーバ装置２のアドレス情報や会員識別情報の会員端末１への書き込み登録は、会員端末１の購入時に、端末販売員や購入者が行ってもよいが、予め、会員端末１に登録しておくとよい。その場合には、アドレスを入力する操作が全く不要となるので、使用者には共通サーバ装置を意識させずに、会員端末１を利用させるようにすることができる。
【００５６】
そして、後述もするように、会員端末１で、共通サーバ装置２の情報提供サービスを受けるとき、また、会員端末１で、ファクシミリ通信や電子メール通信の処理が開始されるとき、それに先立ち、前記の予め記憶されているアドレス情報および会員識別情報を用いて、会員端末１は、自動的に共通サーバ装置２に接続する処理を実行するものである。
【００５７】
この実施の形態においては、会員端末１は、携帯性に優れ、何時、どこからでも、共通サーバ装置２にアクセスするだけで、種々の情報提供サービスの提供を受けることができる。
【００５８】
また、会員端末１は、この実施の形態では、そのファクシミリ通信や電子メール通信の機能およびその関連機能を、共通サーバ装置２と協働することにより、実現する。すなわち、会員端末１は、これら通信のための大容量のメモリを有しない。その代わりに、共通サーバ装置２が、各会員端末１の受信データ用のメモリあるいはメモリエリアを備える。また、会員端末１は、必要最小限の処理のためのアプリケーション（マイクロコンピュータのソフトウエア）、例えば表示のためのアプリケーションを除き、種々の機能を実現するためのアプリケーションを、共通サーバ装置２に委ねるようにしている。すなわち、会員端末１において、使用者が、目的とする機能を得るための要求に相当する、例えばキー操作を行うと、その要求が共通サーバ装置２に送られ、共通サーバ装置２で当該機能のアプリケーションが実行される。そして、そのアプリケーションでの処理結果が、会員端末１に送られてくる。
【００５９】
以上が、この発明の実施の形態の構成の概要であるが、より具体的な構成について以下に説明する。
【００６０】
図２は、上述した図１の通信ネットワークシステムの概念構成を、より具体化したものである。この場合、会員端末１は、ＰＨＳ電話端末と、データ通信機能を備えるＰＤＡ（パーソナル・デジタル・アシスタンツ）との複合機の構成を有し、ＰＨＳ電話機能のほかに、後述するように、ファクシミリ通信機能、電子メール通信機能を備えると共に、共通サーバ装置２からの情報提供サービスを受ける機能を備えている。
【００６１】
無線基地局６が接続される携帯無線通信端末用のネットワーク３は、この例では、ＰＨＳ／ＩＳＤＮ網３ｎである。したがって、会員端末１は、無線基地局６−ＰＨＳ／ＩＳＤＮ網３ｎ−無線基地局６を通じて、他の会員端末１または会員以外のＰＨＳ端末と電話通信ができると共に、無線基地局６−ＰＨＳ／ＩＳＤＮ網３ｎを通じて一般加入電話端末と電話通信ができる。
【００６２】
専用基幹ネットワーク５は、この例では、ＩＳＰ（インターネット・サービス・プロバイダー）が管理するネットワークとされる。すなわち、５Ｎは、そのＩＳＰバックボーン、つまり、ＬＡＮなどのネットワークであり、このＩＳＰバックボーン５ＮとＰＨＳ／ＩＳＤＮ網３ｎとは、ＰＨＳ用の３２ｋビット／秒の伝送速度の業界標準方式であるＰＩＡＦＳ（ＰＨＳ  Ｉｎｔｅｒｎｅｔ  Ａｃｃｅｓｓ  Ｆｏｒｕｍ  Ｓｔａｎｄａｒｄ）用のアクセスポイント４Ｐを通じて接続されている。
【００６３】
また、５ＮはこのＩＳＰ用のルータであり、これを介して、ＩＳＰバックボーン５Ｎと、ネットワーク管理サーバ装置７に対応するＩＳＰサーバ装置７Ｉと、共通サーバ装置２とが接続される。
【００６４】
ＩＳＰサーバ装置７Ｉは、共通サーバ装置２側の委託により、前述したように、会員端末１からのアクセスがあったときに、その認証をとる。すなわち、ＩＳＰサーバ装置７Ｉには、このＩＳＰサーバ装置７Ｉを経由して共通サーバ装置２にアクセスする会員端末１の会員識別情報、例えば会員番号などの会員ＩＤやパスワードなどが予め登録されており、ＩＳＰサーバ装置７Ｉは、当該ＩＳＰバックボーン５Ｎに接続された端末に対するアクセスがあったときに、そのアクセスをしてきた端末が、当該ＩＳＰバックボーン５Ｎを通じて共通サーバ装置２に接続すべき会員端末１であるか否かの認証を行い、会員端末１であれば、そのアクセスをルータ５Ｒを通じて共通サーバ装置２に着信させる。
【００６５】
そして、ＩＳＰサーバ装置７Ｉは、当該会員端末１のアクセスの履歴（ログ）を共通サーバ装置２に送る。共通サーバ装置２は、１〜複数のＩＳＰサーバ装置７Ｉからの複数個の会員端末のそれぞれのアクセスの履歴の情報を受け取って、それぞれの会員端末への課金などを総合的に管理する。
【００６６】
コンテンツ提供装置１１は、この例では、インターネット８を通じて共通サーバ装置２に接続され、共通サーバ装置２が必要なときに、このコンテンツ提供装置１１から提供すべき情報をインターネット８を通じて取得して、会員端末１に提供するようにする。なお、前述もしたように、コンテンツ提供装置１１は、インターネット８を通じてではなく、専用線を通じて共通サーバ装置２と接続するようにすることもできる。また、ＩＳＰサーバ装置７Ｉもコンテンツ提供装置となることもできる。
【００６７】
［共通サーバ装置２の構成］
図３は、共通サーバ装置２の一実施の形態の構成を示すブロック図である。この図３に示すように、共通サーバ装置２は、マスターサーバ２１と、メールサーバ２２と、ファクシミリサーバ２３と、着信通知サーバ２４と、ＨＴＴＰ（Ｈｙｐｅｒ  Ｔｅｘｔ  Ｔｒａｎｓｆｅｒ  Ｐｒｏｔｏｃｏｌ）Ｄサーバ２５と、コンテンツサーバ２６と、コンテンツ用Ｐｒｏｘｙサーバ２７とが、ＬＡＮ（ローカルエリアネットワーク）により接続されて構成されている。また、このＬＡＮはインターネット８とも接続されている。
【００６８】
マスターサーバ２１は、会員データの管理、コンテンツオプション等の申し込み、解約処理やネットワーク全体の管理メンテナンスを行う。マスターサーバ２１は、会員ＩＤやパスワードなどの会員識別情報を含む会員データ（ユーザ情報）などを記憶するメモリ２１Ｍを備える。
【００６９】
メールサーバ２２は、主としてメールサービスの管理・運用を行うものであり、ＰＯＰ（Ｐｏｓｔ  Ｏｆｆｉｃｅ  Ｐｒｏｔｏｃｏｌ）またはＩＭＡＰ（Ｉｎｔｅｒｎｅｔ  Ｍｅｓｓａｇｅ  Ａｃｃｅｓｓ  Ｐｒｏｔｏｃｏｌ）サーバ機能を実装しており、会員端末１とのインターフェース処理を行う。そして、メールサーバ２２は、会員端末用のメールボックスと呼ばれるメモリ２２Ｍを備える。メールボックス２２Ｍは、各会員端末１のそれぞれ毎に区分けされたメモリエリアを備え、各会員端末宛ての電子メールの受信データを、各会員端末毎に蓄える。
【００７０】
なお、この実施の形態では、後述するように、ある会員端末から他の会員端末宛てに送信された、イメージデータ（画像データ）を含まないテキストデータ形式のファクシミリデータも、このメールボックス２２Ｍの前記他の会員端末用のメモリエリアに、電子メールデータとして蓄えられる。
【００７１】
ファクシミリサーバ２３は、ファクシミリ通信機能のアプリケーションを実行する。会員端末１とのインターフェース用にメールサーバ機能を実装し、また、Ｇ３ファクシミリ用のＰＳＴＮ（公衆交換電話網）通信回線機能も実装し、ＩＳＤＮ網９に接続されている。また、ファクシミリデータとしての画像データを記憶するファクシミリボックス（以下ＦＡＸボックスという）と呼ばれるメモリ２３Ｍを備える。ＦＡＸボックス２３Ｍも、各会員端末毎に区分けされたメモリエリアを備え、各会員端末宛ての、イメージデータを含むファクシミリ受信データを各会員端末１毎に蓄える。
【００７２】
着信通知サーバ２４は、電子メールやファクシミリの着信が会員端末宛てにあった場合に、ＩＳＤＮ回線（ＩＳＤＮ網９）を通じて、その着信を各会員端末１に通知するためのものである。
【００７３】
ＨＴＴＰＤサーバ２５は、会員端末１とのインターフェースを制御する。会員端末１が、この共通サーバ装置２に接続されている場合のすべての処理は、このサーバ２５を経由して各機能サーバに接続される。
【００７４】
コンテンツサーバ２６は、共通サーバ装置２が提供するコンテンツ情報処理用のサーバである。このサーバ２６は、提供するコンテンツ情報用として、２つの情報格納用メモリ２６Ａ，２６Ｂを備える。その一つのメモリ２６Ａは、予めこのサーバ２６内に提供する情報を保持するためのものである。もう一つのメモリ２６Ｂは、この共通サーバ装置２内には、提供する情報を保持せず、利用時に、図２の実施の形態では、インターネット８経由でコンテンツ提供装置１１から取得したデータを一時的に格納するためのものである。
【００７５】
コンテンツ用Ｐｒｏｘｙサーバ２７は、コンテンツデータを、インターネット８を経由して、外部のコンテンツ提供装置１１から取得するために使用される。Ｐｒｏｘｙサーバ２７は、図示しないファイアウォールと共に機能させることによって、外部からの不正なアクセスを防御しながら、ファイアウォールの内側から自由に外部にアクセスできる環境を作っている。
【００７６】
［会員端末１について］
次に、会員端末１について説明する。図４は、会員端末１の外観の一例であり、また、図５は、この会員端末１の内部回路構成の一例である。前述もしたように、この例の会員端末１は、ＰＨＳ電話機能と、ファクシミリ通信および電子メール通信、情報提供サービスを受けるデータ通信機能を備える複合端末の構成を有するものである。
【００７７】
この実施の形態の会員端末１は、図４（Ａ）および図４（Ｂ）に示すように、端末本体１００に対して開閉可能の蓋１０１を備え、この蓋１０１を閉じた図４（Ａ）の状態では、ＰＨＳ電話端末として動作する電話モードになり、蓋１０１を開いた図４（Ｂ）の状態では、ファクシミリ通信機能と、電子メール通信機能と、情報提供サービス受信機能とを得ることができるデータ通信モードになる。このモード切り換えのために、図示しないが、蓋１０１の開閉を検知するセンサが設けられている。
【００７８】
このセンサとしては、例えば蓋１０１の内側に突起を設けると共に、これと対応する本体１００側の位置に押圧スイッチを設け、蓋１０１の前記突起により、機械的に本体１００側の押圧スイッチを押圧する機械的なセンサを用いる。
【００７９】
また、蓋１０１と本体１００との一方に、磁石を設け、他方に感磁性素子からなるスイッチを設ける構成のセンサスイッチを用いるようにしてもよい。
【００８０】
蓋１０１の表側には、図４（Ａ）に示すように、電話用（ダイヤル用）のテンキー１０２が設けられている。１０３は、ＰＨＳ用のアンテナである。
【００８１】
そして、会員端末１は、図４（Ｂ）に示すように、蓋１０１を開けた状態のときに現れる本体１００側の面に、大型のＬＣＤ（液晶ディスプレイ）１０５を備え、このＬＣＤ１０５の表示面に、通信文、機能一覧メニュー、提供情報一覧リスト、受信ファクシミリリストや受信電子メールリストなどを表示することができる。メニューやリストが一画面で表示できないときには、画面をスクロールしたり、次ページに切り換えることで全部が表示できるようにされている。
【００８２】
蓋１０１を閉じた図４（Ａ）の状態では、例えば透明プラスチック板などからなるＬＣＤ窓１０４を通じてＬＣＤ１０５の表示面が臨めるようにされる。この場合、蓋１０１を閉じた状態では、ＬＣＤ表示窓１０４から臨める部分だけに表示が行われるように、ＬＣＤ１０５が表示制御されている。
【００８３】
この実施の形態の会員端末１においては、ＬＣＤ１０５の表面には透明のタッチパネル１０６が貼付されており、蓋１０１の裏側に、図４（Ｂ）のように取り外し自在に取り付けられているペン１０７によるタッチ操作や、手書き文字入力を受け付ける機能を備えるようにしている。
【００８４】
また、蓋１０１の裏側には、メニューキーＫ１、オンライン接続キーＫ２、機能キーＫ３、…などの複数個のキー釦１０８が、ダイレクトキーとして設けられている。さらに、ＬＣＤ１０５の右横には、回動キーと押しボタンキーとの２つの機能を合わせ持つジョグダイヤルキー１０９が設けられる。このジョグダイヤルキー１０９を回動キーとして回動操作したときには、例えばメニューなどにおける項目選択動作が行え、また、押しボタンキーとして押下操作したときには、選択された項目の決定入力を意味するものとして扱われる。
【００８５】
次に、図５の会員端末１の回路ブロックについて説明する。
この例の会員端末１は、大きく分けて、通信機能部１１０と、制御部１２０とからなる。
【００８６】
通信機能部１１０は、アンテナ１１１と、ＲＦ処理部１１２と、送受信データ処理部１１３と、マイクロホンアンプ１１４と、スピーカアンプ１１５と、マイクロホン１００ＭＣと、スピーカ１００ＳＰとからなる。
【００８７】
制御部１２０は、マイクロコンピュータにより構成されており、ＣＰＵで構成されるシステムコントロール部１２１と、ＲＯＭ１２２と、ＤＲＡＭ１２３と、書き換え可能な不揮発性メモリとしてのフラッシュメモリ１２４とを備えている。
【００８８】
システムコントロール部１２１には、蓋１０１の開閉に応じてオン・オフするスイッチＳＷが接続されており、このスイッチＳＷのオン・オフにより、蓋１０１が開状態か、閉状態かをシステムコントロール部１２１は検知し、蓋１０１が閉状態のときには、当該会員端末１をＰＨＳ電話用端末として制御する。また、蓋１０１が開状態のときには、当該会員端末１を情報通信端末や、ファクシミリ通信用端末あるいはメール通信用端末として制御する。
【００８９】
システムコントロール部１２１には、また、テンキー１０２のキースイッチ群や、蓋１０１の裏側に設けられたキー釦１０８のスイッチ群の状態を示す情報が入力されるようにされており、システムコントロール部１２１は、使用者によりキー操作がなされたとき、それがテンキー１０２やキー釦１０８のいずれかであるかを検知し、その検知したキーに応じた処理を実行するようにする。
【００９０】
また、システムコントロール部１２１には、ＬＣＤドライバ１２５が接続され、後述するＲＯＭ１２２のプログラムおよび表示データを用いてＬＣＤ１０５に、共通サーバ装置２から提供された情報を表示したり、その他の表示画像を表示するようにする。
【００９１】
また、システムコントロール部１２１には、使用者への、電話の着信通知や、ファクシミリおよびメールの着信通知などのためのブザー１２７やＬＥＤ（発光ダイオード）１２６が接続されている。
【００９２】
ＲＯＭ１２２には、共通サーバ装置２との接続のためのシーケンスを制御するプログラムや、ＰＨＳ電話通信のための制御プログラム、情報提供サービスを受けるための制御プログラム、ファクシミリ送信のための制御プログラム、メール送信のための制御プログラム、ファクシミリデータやメールデータを受信するための制御プログラムなどの会員端末１での通信のために最低限必要な通信アプリケーションプログラムと、ＬＣＤ１０５を表示制御するプログラムやメニューなどの表示データ、その他が記憶されている。
【００９３】
ＤＲＡＭ１２３は、共通サーバ装置２から取得した受信データを一時的に蓄えたり、その他、ワークエリアとして使用するメモリ領域を備えるものである。このＤＲＡＭ１２３は、前述したように、この実施の形態の会員端末１の第１の記憶手段であり、共通サーバ装置２から取得する、この会員端末１の使用者宛てのファクシミリ受信データや電子メールの受信データ、あるいは、この会員端末１の使用者の要求に応じたコンテンツ情報などを一時記憶するものである。
【００９４】
このＤＲＡＭ１２３に記憶された共通サーバ装置２からの情報のうち、ファクシミリ受信データや電子メール受信データなどの表示情報は、システムコントロール部１２１により読み出されて、ＬＣＤドライバ１２５を通じて、ＬＣＤ１０５に表示される。
【００９５】
また、ＤＲＡＭ１２３に記憶された共通サーバ装置２からの情報のうち、例えば、ゲームのプログラムなどのアプリケーションは、システムコントロール部１２１により読み出されて実行され、当該会員端末１において、共通サーバ装置２から提供を受けたアプリケーションに応じたゲームなどを行うことができる。
【００９６】
さらに、ＤＲＡＭ１２３は、この会員端末１において作成した相手先を指定して送信するファクシミリ送信データや電子メールの送信データも一時記憶する。そして、会員端末１の使用者により送信指示が与えられた場合に、システムコントロール部１２１により読み出されて、送受信データ処理部１１３、ＲＦ処理部１１２、アンテナ１１１を通じて共通サーバ装置１に送信するようにされる。
【００９７】
フラッシュメモリ１２４には、前述したように、ＩＳＰサーバ７Ｉを通じて共通サーバ装置２に対して自動接続する場合に用いる共通サーバ装置２のアドレス情報や、この会員端末１の使用者である会員の会員ＩＤやパスワードなどの会員識別情報が記憶されている。
【００９８】
また、フラッシュメモリ１２４は、この実施の形態の会員端末１の第２の記憶手段であり、前述もしたように、共通サーバ装置２から提供されてＤＲＡＭ１２３に記憶された情報を利用することにより、保存が必要になり、会員端末１の使用者によって保存が指示された情報を記憶する。
【００９９】
ここで、使用者により保存が指示される情報は、前述したように、共通サーバ装置２からの会員端末１宛てのファクシミリ受信データや電子メールの受信データのうち、当該会員端末１の使用者が、保存しておきたいと判断したファクシミリ受信データや電子メールの受信データのほか、共通サーバ装置２から提供を受けた情報が例えばゲームのプログラムなどのアプリケーションの場合には、そのアプリケーションを実行することにより行われる処理の途中結果などの実行データ、あるいは、共通サーバ装置２から提供を受けたコンテンツ情報、あるいは、コンテンツ情報を繰り返し共通サーバ装置２から提供を受けるための当該コンテンツ情報のアドレス情報などである。
【０１００】
つまり、保存が指示される情報は、共通サーバ装置２から提供を受けた情報を利用することにより、保存する必要が生じた情報であり、共通サーバ装置２から提供を受けた情報そのものの場合もあれば、共通サーバ装置２から提供を受けた情報を処理することによって、新たに形成された情報の場合もある。
【０１０１】
このように保存が指示された情報をフラッシュメモリ１２４に記憶して保持するようにしておくことにより、詳しくは後述もするが、保存が指示された情報が、例えば、ファクシミリ受信データなどの情報である場合には、会員端末１において、会員端末１の使用者が必要とするときに読み出して繰り返し表示することができるようにされる。
【０１０２】
また、保存が指示された情報が、共通サーバ装置２から提供を受けて実行したアプリケーションが実行されることにより行われた処理の途中結果である場合には、共通サーバ装置２から再度同じアプリケーションの提供を受けて実行することにより、フラッシュメモリ１２４に保持されている途中結果に基づいて、そのプログラムの実行を中断したところから再開することができるようにされる。
【０１０３】
以上のような構成を備える会員端末１の動作を、関連する共通サーバ装置の動作も含めて、以下に説明する。
【０１０４】
まず、ＰＨＳ電話モードについて説明する。蓋１０１を閉じた状態で、テンキー１０２を用いて、相手方の電話番号をダイヤル入力すると、発呼がなされる。また、蓋１０１を閉じた状態で、ＰＨＳ電話端末としての当該会員端末１に電話の着信があると、それがブザー１２７により使用者に知らされ、使用者が応答すると、その電話着信を受けることができ、通話状態になる。
【０１０５】
なお、蓋１０１を開いた状態で電話着信があったときには、本体１００側に設けられている図示しない通話キーを押すことにより、いつでも通話が可能である。ただし、通話は、蓋１０１を閉じた状態で行うようにする。
【０１０６】
そして、会員端末１は、このＰＨＳ電話通話時には、システムコントロール部１２１からの制御を送受信データ処理部１１３が受けながら、送話信号を送信し、また、受話信号を受信する。
【０１０７】
すなわち、マイクロホン１００ＭＣからの音声信号がアンプ１１４を介して送受信データ処理部１１３に供給されて送信データに変換され、ＲＦ処理部１１２を通じ、アンテナ１１１を通じて無線基地局６に対して送信されると共に、無線基地局６よりの相手側からの通話音声のデータがアンテナ１１１で受信され、その受信データが送受信データ処理部１１３で処理されて、相手の通話音声信号が復元され、それがアンプ１１５を通じてスピーカ１００ＳＰに供給されて放音される。
【０１０８】
次に、データ通信モードについて説明する。このデータ通信モードにおいては、ファクシミリ機能、電子メール機能、ＷＷＷブラウザ機能、メモ機能などを会員端末１では、実現できるように構成されている。これらの機能の一覧メニューは、キー釦１０８の内のメニューキーを操作することにより、ＬＣＤ１０５の画面上に表示される。そして、使用者が、このＬＣＤ１０５の画面に表示される機能一覧メニューから、ジョグダイヤルキー１０９の回動操作および押下操作により希望する機能を選択して、決定することにより、会員端末１は、その機能を実行するモードの状態になる。
【０１０９】
この実施の形態の会員端末１において、ファクシミリデータの送信および受信をする場合、また、電子メールの送信および受信をする場合は、すべて共通サーバ装置２を介して処理される。
【０１１０】
そして、会員端末１と共通サーバ装置２との間でのデータのやり取りにおいては、ファクシミリ通信方式としての既定の通信方式に関係なく、すべてネットワーク３およびネットワーク５に適合する通信方式によって行うようにする。すなわち、この実施の形態の場合には、ファクシミリデータと電子メールデータとは、インターネットで電子メールを転送するのに用いられる標準的な手順であるＳＭＴＰ（Ｓｉｍｐｌｅ  Ｍａｉｌ  Ｔｒａｎｓｆｅｒ  Ｐｒｏｔｏｃｏｌ）を用い、また、ＷＷＷブラウザ機能における共通サーバ装置２からの提供情報は、ＨＴＴＰ（Ｈｙｐｅｒ  Ｔｅｘｔ  Ｔｒａｎｓｆｅｒ  Ｐｒｏｔｏｃｏｌ）を用い、ＰＨＳ網を利用したＰＩＡＦＳ方式により、会員端末１と共通サーバ装置２との間で送信データおよび受信データをやり取りする。
【０１１１】
この場合、会員端末１においては、送信データは、前述似もしたように、ＤＲＡＭ１２３に一時格納され、送信実行によりシステムコントロール部１２１により読み出されて、前述の通信プロトコルおよびデータ形式で、送受信データ処理部１１３、ＲＦ処理部１１２、アンテナ１１１を順次介して無線送信される。
【０１１２】
また、共通サーバ装置２からの受信データは、アンテナ１１１で受信され、ＲＦ処理部１１２、送受信データ処理部１１３を通じて、システムコントロール部１２１によりＤＲＡＭ１２３に一時格納される。そして、システムコントロール部１２１の制御により、ＬＣＤドライバ１２５を通じてＬＣＤ１０５に表示データとして送られ、受信データによる表示内容が表示される。
【０１１３】
メモ機能には、ペン１０７とタッチパネル１０６とを用いて入力を行う「手書きメモ」と、ＬＣＤ１０５の画面にキーボードを表示して、その表示キーボードを利用して文書を作成する「タイプメモ」とがある。そして、手書きメモとタイプメモのいずれの場合も、作成したイメージまたは文書をファクシミリデータとして送信できるように構成されている。
【０１１４】
すなわち、手書きメモまたはタイプメモのいずれのモードの場合においても、ＬＣＤ１０５の画面上には、「ＦＡＸ送信（ファクシミリ送信）」のアイコンを含むメニューバーが表示され、この「ＦＡＸ送信」のアイコンが例えばペンで選択されると、送信すべき相手方端末の電話番号や、ファクシミリタイトルなどの入力モード画面になる。そして、相手方端末の電話番号やタイトルの入力後、このモードのときに表示されている「送信」のアイコンを選択すると、手書きメモあるいはタイプメモで作成されたイメージまたは文書がファクシミリデータとして送信される。
【０１１５】
ただし、前述したように、この場合にファクシミリデータは電子メールデータとして共通サーバ装置２に送信されるので、イメージデータおよび文書データはファクシミリ通信のビットマップデータではなく、イメージデータは例えばＧＩＦ（Ｇｒａｆｉｃｓ  Ｉｎｔｅｒｃｈａｎｇｅ  Ｆｏｒｍａｔ）形式とされ、また、文書データは、テキストデータ形式とされる。
【０１１６】
そして、宛先が会員以外のときには、共通サーバ装置２が、受け取ったデータを、ビットマップデータに変換して、当該会員以外の端末にファクシミリ送信する処理を実行する。宛先が会員端末１であるときには、共通サーバ装置２は、受け取ったデータを、メールボックス２２ＭあるいはＦＡＸボックス２３Ｍに格納し、各会員端末１に対しては、着信通知サーバ２４を通じて当該会員端末１宛ての着信があったことを通知する。この着信通知は、ファクシミリデータ受信の場合だけでなく、電子メールのデータ受信のときにも行われる。
【０１１７】
ファクシミリ機能が選択されたときに、キー釦１０８のうちのオンライン接続キーＫ２が押されると、その会員端末１は、共通サーバ装置２と接続するための処理を自動的に行う。すなわち、フラッシュメモリ１２４のアドレスデータ、会員識別情報により共通サーバ装置２と接続する要求を会員端末１は送出する。すると、ネットワーク管理サーバであるＩＳＰサーバ７Ｉが当該アクセスしてきた端末が会員端末であるかどうかの認証を行い、会員端末であれば、共通サーバ装置２に接続する処理を行う。
【０１１８】
共通サーバ装置２は、接続された会員端末を認識し、当該会員端末宛てに受信したファクシミリ受信データの一覧リストを作成し、当該会員端末１に送る。したがって、この例では、オンライン接続キーＫ２は、受信情報一覧リストの要求キーの役割も有する。
【０１１９】
会員端末１は、共通サーバ装置２からの、この一覧リストのデータを受信してＤＲＡＭ１２３に一時格納し、その一覧リストをＬＣＤ１０５の画面に表示する。使用者は、ジョグダイヤルキー１０９やペン１０７を用いて、この一覧リストから希望するファクシミリ受信データを選択することができる。希望するファクシミリ受信データの選択がなされ、「取り込み」のアイコンが選択されると、会員端末１は、当該受信データの取得の要求を、共通サーバ装置２に送信する。
【０１２０】
この要求を受けると、共通サーバ装置２は、要求されたファクシミリ受信データを抽出して、電子メールのＳＭＴＰにより会員端末１に送る。会員端末１は、受け取ったデータをＤＲＡＭ１２３に一時格納する。
【０１２１】
なお、ファクシミリ受信データの一覧リストにおいて、共通サーバ装置２に対して提供を希望するファクシミリ受信データを複数件選択することにより、一度に複数件のファクシミリ受信データの提供を要求して、選択した複数件のファクシミリ受信データの提供を受けるようにすることもできるようにされている。
【０１２２】
このようにして、共通サーバ装置２から自分宛てのファクシミリ受信データの提供を受けて、これをＤＲＡＭ１２３に取り込んだ後、会員端末１は、ＤＲＡＭ１２３に一時記憶したファクシミリ受信データの一覧リストである取り込み受信データ一覧リストをＬＣＤ１０５に表示し、この取り込み受信データ一覧リストを用いて、ＤＲＡＭ１２３に取り込んだファクシミリ受信データの中からＬＣＤ１０５に表示するファクシミリ受信データを指定したり、フラッシュメモリ１２４に保存するファクシミリ受信データを指定したり、あるいは、削除するファクシミリ受信データを指定することができるようにされている。
【０１２３】
この取り込み受信データ一覧リストを介して、表示するようにされたファクシミリ受信データは、前述にもしたように、システムコントロール部１２１によってＤＲＡＭ１２３から読み出され、表示データに変換されて、ＬＣＤ１０５の画面に表示される。したがって、使用者は、自分が必要なファクシミリデータを選んで、ＬＣＤ１０５の画面で見ることができる。
【０１２４】
また、この取り込み受信データ一覧リストを介して、フラッシュメモリ１２４に保存するようにされたファクシミリ受信データは、システムコントロール部１２１の制御により、ＤＲＡＭ１２３からフラッシュメモリ１２４に転送されて、フラッシュメモリ１２４に記憶される。したがって、使用者は、自分が必要なファクシミリ受信データを選んで、フラッシュメモリ１２４に記憶し、保存することができると共に、保存したファクシミリ受信データをいつでも呼び出して見ることができるようにされる。
【０１２５】
同様にして、使用者は、不要なファクシミリ受信データを選んで、ＤＲＡＭ１２３から削除するなどの処理をも行うことができる。
【０１２６】
また、電子メール機能が選択されたときに、キー釦１０８のうちのオンライン接続キーＫ２が押されたときも、ファクシミリ機能が選択されていた場合と同様にして、その会員端末１は、共通サーバ装置２と接続するための処理を自動的に行う。そして、共通サーバ装置２では、電子メールの受信データの一覧リストを作成し、当該会員端末１に送る。
【０１２７】
会員端末１は、この一覧リストのデータを受信し、その一覧リストをＬＣＤ１０５の画面に表示する。そして、使用者は、ジョグダイヤルキー１０９やペン１０７を用いて、この一覧リストから提供を希望する電子メールの受信データを選択することができる。提供を希望する電子メールの受信データの選択がなされ、「取り込み」のアイコンが選択されると、会員端末１は、当該電子メールの受信データの取得の要求を、共通サーバ装置２に送信する。
【０１２８】
これを受けて、共通サーバ装置２は、要求された電子メールの受信データを抽出して、ＳＭＴＰにより会員端末１に送る。会員端末１は、受け取ったデータをＤＲＡＭ１２３に一時記憶する。
【０１２９】
このように、電子メールの受信データの一覧リストからの電子メールの受信データの選択、および、「取り込み」のアイコンの選択を行うことにより、前述したファクシミリ受信データの取り込みの場合と同様に、共通サーバ装置２に保持されている自分宛ての電子メールの受信データを会員端末１のＤＲＡＭ１２３に取り込むことができる。
【０１３０】
なお、この電子メール機能の場合にも、前述したファクシミリ機能の場合と同様に、電子メールの受信データの一覧リストにおいて、共通サーバ装置２に対して提供を希望する電子メールの受信データを複数件選択することにより、一度に複数件の電子メールの受信データの提供を要求して、指定した複数件の電子メールの受信データの提供を受けるようにすることができるようにされている。
【０１３１】
そして、前述したファクシミリ受信データを会員端末１のＤＲＡＭ１２３に取り込んだ場合と同様に、会員端末１においては、会員端末１のＤＲＡＭ１２３に一時記憶した電子メールの受信データの取り込み一覧リストを表示し、この受信データの取り込み一覧リストを用いて、ＤＲＡＭ１２３に取り込んだ電子メールの受信データをＬＣＤ１０５に表示したり、フラッシュメモリ１２４に保存したり、あるいは、ＤＲＡＭ１２４から削除するなどの指示を入力することができるようにされる。
【０１３２】
このように、電子メールの受信データの場合にも、ファクシミリ受信データの場合と同様にして、自分宛ての電子メールの受信データを共通サーバ装置２から会員端末１のＤＲＡＭ１２３に取り込み、会員端末１の使用者は、自分が必要な電子メールの受信データを選んで、ＬＣＤ１０５の画面に表示したり、フラッシュメモリ１２４に記憶したり、あるいは、ＤＲＡＭ１２３から削除するようにすることができる。
【０１３３】
そして、ＤＲＡＭ１２３はいわゆる揮発性メモリであり、会員端末１の主電源が落とされた場合には、ＤＲＡＭ１２３に記憶されていた情報は、ＤＲＡＭ１２３から消滅するが、フラッシュメモリ１２４はいわゆる不揮発性メモリであり、会員端末１の主電源が落とされた場合にも、これに記憶されている情報は消滅することなく保持されるので、フラッシュメモリ１２４に記憶したファクシミリ受信データや電子メールの受信データを繰り返しＬＣＤ１０５に表示して見ることができる。
【０１３４】
また、フラッシュメモリ１２４は、前述したように、ＤＲＡＭ１２３に取り込まれたファクシミリ受信データや電子メールの受信データのうち、会員端末１の使用者により保存するように指示された情報のみを記憶するようにして、フラッシュメモリ１２４を効率的に使用するようにされているので、ＤＲＡＭ１２３に取り込まれたファクシミリ受信データや電子メールの受信データのすべてを記憶するような記憶容量の大きなフラッシュメモリを会員端末１に搭載する必要はない。
【０１３５】
また、この実施の形態において、ＬＣＤ１０５の表示画面に表示された機能一覧メニューから、ＷＷＷブラウザ機能が選択されているときは、会員端末１は共通サーバ装置２からの提供情報を取得して再生することができる情報再生端末として動作することができるようにされる。このとき、共通サーバ装置２と会員端末１との間のデータのやり取りは、ＨＴＴＰ（Ｈｙｐｅｒ  Ｔｅｘｔ  Ｔｒａｎｓｆｅｒ  Ｐｒｏｔｏｃｏｌ）が用いられ、ＰＨＳ網を利用したＰＩＡＦＳ方式により行われる。共通サーバ装置２から提供される情報のデータ形式は、ＨＴＭＬ（Ｈｙｐｅｒ  Ｔｅｘｔ  Ｍａｋｅｕｐ  Ｌａｎｇｕａｇｅ）である。
【０１３６】
そして、ＷＷＷブラウザ機能が選択されたときに、キー釦１０８のうちのオンライン接続キーＫ２が押されたときは、前述したファクシミリ機能、あるいは、電子メール機能が選択されていた場合と同様にして、その会員端末１は、共通サーバ装置２と接続するための処理を自動的に行う。
【０１３７】
そして、共通サーバ装置２では、共通サーバ装置２が提供可能な情報提供サービスの一覧リストを接続を要求してきた会員端末１に提供する。
【０１３８】
会員端末１は、共通サーバ装置からの情報提供サービスの一覧リストを受信し、これをＬＣＤ１０５の表示画面に表示する。会員端末１の使用者は、ジョグダイヤルキー１０９やペン１０７を用いて、ＬＣＤ１０５の表示画面に表示された情報提供サービスの一覧リストから会員端末１の使用者が提供を希望する共通サーバ装置２が提供可能な情報提供サービスを選択することができるようにされる。
【０１３９】
ここで、ＬＣＤ１０５の表示画面に表示された情報提供サービスの一覧リストから希望する情報提供サービスの選択がなされた場合には、会員端末１は、選択された情報提供サービスの提供の要求を、共通サーバ装置２に送信する。
【０１４０】
これを受けて、共通サーバ装置２は、要求された情報提供サービスに応じてコンテンツ情報を取得して要求元の会員端末１に送る。会員端末１は、共通サーバ装置２からのコンテンツ情報を受信し、受信したコンテンツ情報をＤＲＡＭ１２３に一時格納する。
【０１４１】
会員端末１は、要求したコンテンツ情報が、例えば、地図情報やニュースなどの表示情報である場合には、これが表示データに変換されて、ＬＣＤ１０５に表示される。
【０１４２】
この場合、ＬＣＤ１０５に表示されたコンテンツ情報が提供を要求した会員端末１の使用者にとって、繰り返して見る可能性のある情報であるときには、当該コンテンツ情報のアドレスをフラッシュメモリ１２４に記憶して保持することができるようにされている。そして、このフラッシュメモリ１２４に記憶されたコンテンツ情報のアドレスを用いて、共通サーバ装置２から簡単に目的とするコンテンツ情報の再度の提供を受けることができるようにされる。もちろん、ＬＣＤ１０５に表示したコンテンツ情報自体をフラッシュメモリ１２４に記憶し保存しておくようにすることもできる。
【０１４３】
また、共通サーバ装置２から提供を受けたコンテンツ情報が、例えばゲームなどのアプリケーションである場合には、ＤＲＡＭ１２３に一時記憶されたアプリケーションがシステムコントロール部１２１により実行される。
【０１４４】
そして、共通サーバ装置２から提供を受けて、会員端末１において実行したアプリケーションを終了する場合であって、当該アプリケーションの途中結果を会員端末１に保持しておくように会員端末１の使用者により指示された場合には、当該アプリケーションの途中結果がフラッシュメモリ１２４に記憶される。この場合、そのアプリケーションを特定するための情報、どこまで実行されたかを示す情報、中断された時点のそのアプリケーションの状態を示す情報などのそのアプリケーションを中断されたところから再開するために必要な情報などが利用したコンテンツ情報に関連する関連情報としてフラッシュメモリ１２４に記憶される。
【０１４５】
つまり、共通サーバ装置２から提供を受けたコンテンツ情報が、例えばゲームのプログラムである場合には、ＤＲＡＭ１２３に一時記憶されたプログラムがシステムコントロール部１２１により実行され、当該会員端末１においてゲームを行うことができるようにされる。
【０１４６】
そして、会員端末１において実行した当該ゲームのプログラムを終了する場合であって、当該ゲームの途中結果を会員端末１に保持しておくように会員端末１の使用者により操作された場合には、例えば、ＤＲＡＭ１２３の作業領域に記憶されている当該ゲームの途中結果などの当該ゲームのアプリケーションに対する関連情報がフラッシュメモリ１２４に記憶される。
【０１４７】
そして、会員端末１の主電源を落とした場合、ＤＲＡＭ１２３は揮発性メモリであるため、ＤＲＡＭ１２３に記憶されている共通サーバ装置２から提供を受けた当該ゲームのプログラムは消滅してしまうが、フラッシュメモリ１２４に記憶されている当該ゲームの途中結果などの関連情報は保持されるので、会員端末１の主電源を再投入後、同じゲームのプログラムを再度、共通サーバ装置２から提供を受けて実行することにより、フラッシュメモリ１２４に記憶されている当該ゲームの途中結果などの関連情報に基づいて、そのゲームを途中から再開させることができる。
【０１４８】
この場合、会員端末１のフラッシュメモリ１２４に記憶して保持するのは、当該ゲームの途中結果などの関連情報だけであり、ゲームのプログラム自体を保存しておく必要はないので、記憶容量の大きなフラッシュメモリを会員端末１に搭載しておく必要がない。
【０１４９】
このように、この実施の形態においては、共通サーバ装置２は、各会員端末１の使用者である会員宛てのファクシミリ受信データや電子メールの受信データを蓄積し、これを会員端末１を介して各会員に提供することができるとともに、共通サーバ装置２が提供可能な各種のコンテンツ情報やアプリケーションをも会員端末１に提供することができるものである。
【０１５０】
そして、会員端末１は、ファクシミリ機能、電子メール機能、ＷＷＷブラウザ機能を用いて、共通サーバ装置２から自分宛てのファクシミリ受信データや電子メールの受信データ、あるいは、ゲームなどのアプリケーションを含むコンテンツ情報の提供を受けて、これを会員端末１のＤＲＡＭ１２３に一時記憶し、前述したようにＬＣＤ１０５に表示したり、アプリケーションの場合には会員端末１において実行することができるようにされている。
【０１５１】
そして、会員端末１は、図６に示すように、共通サーバ装置２から提供を受けて、ＤＲＡＭ１２３に一時記憶した情報を利用することにより、ＤＲＡＭ１２３に一時記憶されている情報のうち、重要である、あるいは、繰り返し見る可能性があるファクシミリ受信データや電子メールの受信データをフラッシュメモリ１２４に転送して記憶しておくことができるようにされている。
【０１５２】
すなわち、図６に示すようにＤＲＡＭ１２３にファクシミリ受信データ１、ファクシミリ受信データ２、ファクシミリ受信データ３が一時記憶されている場合に、重要である、あるいは、繰り返し見る可能性があると判断したファクシミリ受信データ１だけをフラッシュメモリ１２４に記憶するようにすることができる。
【０１５３】
同様に、ＤＲＡＭ１２３に電子メールの受信データ１、電子メールの受信データ２が一時記憶されている場合に、重要である、あるいは、繰り返し見る可能性があると判断した電子メールの受信データ２だけをフラッシュメモリ１２４に記憶するようにすることができる。
【０１５４】
そして、フラッシュメモリ１２４に記憶されたファクシミリ受信データや電子メールの受信データは、会員端末１の主電源が落とされた場合にも保持されるので、必要なときに何時でも読み出してＬＣＤ１０５に表示することができる。
【０１５５】
また、会員端末１は、共通サーバ装置２から提供を受けて、ＤＲＡＭ１２３に一時記憶したコンテンツ情報を利用することにより、そのコンテンツ情報を繰り返し利用する可能性ある場合には、そのコンテンツ情報あるいはそのコンテンツ情報を共通サーバ装置２から繰り返し取得するためのそのコンテンツ情報アドレス情報をフラッシュメモリ１２４に転送して記憶しておくことができるようにされている。
【０１５６】
さらに、会員端末１は、共通サーバ装置２から提供を受けて、ＤＲＡＭ１２３に一時記憶したアプリケーションを実行することにより得られる処理の途中結果などの関連情報をフラッシュメモリ１２４に記憶しておくことができる。
【０１５７】
この場合には、前述したように、そのアプリケーションの実行を途中で中断した場合に、そのアプリケーションに対する関連情報をフラッシュメモリ１２４に記憶しておくことで、会員端末１の主電源が落とされた場合にも、フラッシュメモリ１２４に記憶された当該アプリケーションに対する関連情報が消滅することはないので、再度、共通サーバ装置２からそのアプリケーションの提供を受けて、フラッシュメモリ１２４に記憶されている途中結果の情報に基づいて、そのアプリケーションによる処理を中断したところから再開することができる。
【０１５８】
［ファクシミリ受信データを利用する場合の動作］
まず、共通サーバ装置２に蓄積されている会員端末１の使用者である会員宛てのファクシミリ受信データを会員端末１に取り込み、これを会員端末１において利用するようにする場合の会員端末１、共通サーバ装置２の動作について、図７〜図９のフローチャートを参照しながら説明する。
【０１５９】
前述したように、会員端末１がデータ通信モードとされて、ＬＣＤ１０５の表示画面に表示された機能一覧メニューからファクシミリ機能が選択されているときに、キー釦１０８のうちのオンライン接続キーＫ２が押されると（手順Ｓ１）、その会員端末１は、共通サーバ装置２と接続するための処理を自動的に行う（手順Ｓ２）。すなわち、フラッシュメモリ１２４に記憶されいる自己の会員識別情報と、ＩＳＰサーバ装置７Ｉを通じた共通サーバ装置２への接続のためのアドレスデータとを用いて、共通サーバ装置２と接続する要求を会員端末１は送出する。
【０１６０】
この接続要求に対して、ネットワーク管理サーバであるＩＳＰサーバ７Ｉが当該アクセスしてきた端末が会員端末であるかどうかの認証を、接続要求に含まれる会員端末であるか否かの会員識別情報を用いて行い（手順Ｓ３）、会員端末であれば、共通サーバ装置２に接続する処理を行う（手順Ｓ４）。
【０１６１】
すると、共通サーバ装置２は、会員端末１からの接続要求を受け取り、接続された会員端末がいずれの会員端末であるかを認識しする（手順Ｓ５）。そして、共通サーバ装置２は、接続要求を送信してきた会員端末１の使用者である会員宛てのファクシミリ受信データの一覧リストであるＦＡＸリストを作成し（手順Ｓ６）、これを接続要求元の会員端末１に送信する（手順Ｓ７）。
【０１６２】
会員端末１では、共通サーバ装置２からのＦＡＸリストを受信し（手順Ｓ８）、これをＬＣＤ１０５の表示画面に表示する（手順Ｓ９）。そして、会員端末１は、ＬＣＤ１０５に表示されたＦＡＸリストから、提供を受けたいファクシミリ受信リストを選択する会員端末１の使用者による選択入力を受付ける（手順Ｓ１０）。この手順Ｓ１０においは、前述したように会員端末１の使用者が提供を受けたい複数のファクシミリ受信データの選択を行うことができるようにされている。
【０１６３】
次に、会員端末１は、受け付けたファクシミリ受信データの選択入力に基づいて、ファクシミリ受信データの送信要求を生成し、共通サーバ装置２に送信する（手順Ｓ１１）。
【０１６４】
共通サーバ装置２は、この会員端末１からのファクシミリ受信データの送信要求を受けて（手順Ｓ１２）、要求されているファクシミリ受信データをファクシミリサーバ２３のメモリ２３Ｍから抽出する（手順Ｓ１３）。会員端末１からのファクシミリ受信データの送信要求が、複数のファクシミリ受信データの送信を要求するものであるときには、この手順Ｓ１３の処理において、要求された複数のファクシミリ受信データが抽出される。そして、共通サーバ装置２は、抽出したファクシミリ受信データを要求元の会員端末１に対して送信する（手順Ｓ１４）。
【０１６５】
そして、会員端末１は、共通サーバ装置２から送信されたファクシミリ受信データを受信して（手順Ｓ１５）、これをＤＲＡＭ１２３に記憶し（手順Ｓ１６）、ファクシミリ機能によるファクシミリ受信データの取り込み処理を終了する。これにより、会員端末１の使用者が提供を要求したファクシミリ受信データが会員端末１のＤＲＡＭ１２３に一時記憶され、会員端末１において利用することができるようにされる。
【０１６６】
［ファクシミリ受信データの利用］
前述のようにして、会員端末１のＤＲＡＭ１２３に記憶されたファクシミリ受信データを利用する場合、この実施の形態においては、ＤＲＡＭ１２３に一時記憶されたファクシミリ受信データを利用するための機能であるファクシミリ受信ボックス機能が用いられて利用するようにされる。このファクシミリ受信ボックス機能により、ＤＲＡＭ１２３に一時記憶されたファクシミリ受信データのＬＣＤ１０５への表示やファクシミリ受信データのフラッシュメモリ１２４への転送および記憶、あるいは、ＤＲＡＭ１２３からの削除などの処理を行うことができるようにされる。
【０１６７】
この実施の形態においては、会員端末１がデータ通信モードとされ、共通サーバ装置２と通信路が接続されていないオフライン時に、ＬＣＤ１０５の表示画面に表示された機能一覧メニューからファクシミリ受信ボックス機能が選択されると、会員端末１は、図９に示す処理を開始する。
【０１６８】
まず、会員端末１は、ＤＲＡＭ１２３に取り込んだファクシミリ受信データの一覧リストであるファクシミリ受信データの取り込み一覧リストをＬＣＤ１０５に表示する（手順Ｓ２１）。
【０１６９】
そして、会員端末１は、使用者により入力操作が行われると（手順Ｓ２２）、その入力操作は、ファクシミリ受信データの取り込み一覧リストの中から目的とするファクシミリ受信データを選択するためのカーソル移動か否かを判断する（手順Ｓ２３）。手順Ｓ２３の判断処理において、カーソル移動が行われたと判断したときには、カーソルの表示位置を指定されたファクシミリ受信データに位置付けて（手順Ｓ２４）、カーソル位置を変更したファクシミリ受信データの取り込み一覧リストを表示するように手順Ｓ２１からの処理を繰り返す。
【０１７０】
手順Ｓ２３の判断処理において、使用者による入力操作がカーソル移動ではないと判断したときには、使用者による入力操作は、終了操作か否かを判断する（手順Ｓ２５）。
【０１７１】
手順Ｓ２５の判断処理において、会員端末１の使用者による入力操作が終了操作であると判断したときには、このファクシミリ受信ボックス機能を終了する。また、手順Ｓ２５の判断処理において、会員端末１の使用者による入力操作が終了操作でないと判断したときには、会員端末１の使用者による入力操作は、ファクシミリ受信データのＬＣＤ１０５への表示を指示する操作か否かを判断する（手順Ｓ２６）。
【０１７２】
手順Ｓ２６の判断処理において、表示を指示する操作であると判断したときには、会員端末１は、ファクシミリ受信データの取り込み一覧リスト中において、カーソルが位置付けられているファクシミリ受信データのＬＣＤ１０５への表示処理を行い（手順Ｓ２７）、ファクシミリ受信データの表示処理が終了するようにされると、手順Ｓ２１からの処理を繰り返す。
【０１７３】
手順Ｓ２６の判断処理において、会員端末１の使用者による入力操作が、ファクシミリ受信データの表示を指示する操作でないと判断したときには、会員端末１の使用者による入力操作は、ファクシミリ受信データのフラッシュメモリ１２４への保存を指示する操作か否かを判断する（手順Ｓ２８）。
【０１７４】
手順Ｓ２８の判断処理において、ファクシミリ受信データのフラッシュメモリ１２４への保存を指示する操作であると判断した場合には、会員端末１は、ファクシミリ受信データの取り込み一覧リスト中において、カーソルが位置付けられているファクシミリ受信データをフラッシュメモリ１２４に転送し、これをフラッシュメモリ１２４に記憶して、手順Ｓ２１からの処理を繰り返す。
【０１７５】
手順Ｓ２８の判断処理において、ファクシミリ受信データのフラッシュメモリ１２４への保存を指示する操作でないと判断した場合には、例えば、ファクシミリ受信データのＤＲＡＭ１２３からの削除処理など、会員端末１の使用者による入力操作に応じた処理を行って、手順Ｓ２１からの処理を繰り返す。
【０１７６】
このように、この実施の形態においては、会員端末１は共通サーバ装置２から自分宛ての複数のファクシミリ受信データを取り込んで、これをＬＣＤ１０５に表示して利用することができると共に、重要なファクシミリ受信データや繰り返し利用する可能性のあるファクシミリ受信データを選択して、これをフラッシュメモリ１２４に記憶しておくことができる。
【０１７７】
そして、フラッシュメモリ１２４に記憶したファクシミリ受信データを使用する場合には、この実施の形態においては、会員端末１がデータ通信モードとされ、共通サーバ装置２と通信路が接続されていないオフライン時に、ＬＣＤ１０５の表示画面に表示された機能一覧メニューからファクシミリ保存ボックス機能を選択することにより、フラッシュメモリ１２４に記憶されたファクシミリ受信データの利用が可能とされる。
【０１７８】
このファクシミリ保存ボックス機能は、図９を用いて前述したファクシミリ受信ボックスの場合と同様にして、フラッシュメモリ１２４に記憶されているファクシミリ受信データの一覧リストを表示し、この一覧リストを用いて、フラッシュメモリ１２４に記憶されているファクシミリ受信データのＬＣＤ１０５への表示、フラッシュメモリ１２４からの削除を行うことができるものである。
【０１７９】
つまり、ファクシミリ保存ボックス機能は、フラッシュメモリ１２４に記憶されたファクシミリ受信データが処理の対象であり、フラッシュメモリ１２４への保存機能を除けば、図９を用いて前述したファクシミリ受信ボックス機能と同様にして、フラッシュメモリ１２４に記憶されたファクシミリ受信データの表示やフラッシュメモリ１２４からのファクシミリ受信データの削除を行うことができるものである。
【０１８０】
また、図７〜９は、ファクシミリ受信データを会員端末１に取り込んで、取り込んだファクシミリ受信データを会員端末１において利用する場合のフローチャートであるが、電子メールの受信データを会員端末１に取り込んで、取り込んだ電子メールの受信データを利用するようにする場合にも同様に処理される。
【０１８１】
すなわち、会員端末１の使用者である会員宛ての電子メールの受信データを会員端末１に取り込む場合には、電子メール機能が選択されている状態で、オンライン接続きーＫ２を押下することにより、会員端末１と共通サーバ装置２との間で通信路を自動的に接続し、電子メールの受信データの一覧リストの提供を共通サーバ装置２から受ける。この一覧リストを介して、要求する電子メールの受信データを指定し、共通サーバ装置２から指定した電子メールの受信データの提供を受ける。
【０１８２】
共通サーバ装置２からの電子メールの受信データは会員端末１のＤＲＡＭ１２３に一時記憶されるので、これをファクシミリ受信ボックス機能と同様に、ＤＲＡＭ１２３に一時記憶された電子メールの受信データを利用するための機能である電子メール受信ボックス機能を用いて、ＤＲＡＭ１２３に記憶された電子メールの受信データのＬＣＤ１０５への表示、電子メールの受信データのフラッシュメモリ１２４への保存、電子メールの受信データのＤＲＡＭ１２３からの削除などの処理を行うことができるようにされる。
【０１８３】
また、フラッシュメモリ１２４に記憶した電子メールの受信データを使用する場合には、この実施の形態においては、前述したファクシミリ保存ボックス機能と同様に、会員端末１がデータ通信モードとされ、共通サーバ装置２と通信路が接続されていないオフライン時に、ＬＣＤ１０５の表示画面に表示された機能一覧メニューから電子メール保存ボックス機能を選択することにより、フラッシュメモリ１２４に記憶された電子メールの受信データの利用が可能とされる。
【０１８４】
この電子メール保存ボックス機能は、ファクシミリ保存ボックスの場合と同様にして、フラッシュメモリ１２４に記憶されている電子メールの受信データの一覧リストを表示し、この一覧リストを用いて、フラッシュメモリ１２４に記憶されている電子メールの受信データのＬＣＤ１０５への表示、フラッシュメモリ１２４からの削除を行うことができるものである。
【０１８５】
このように、この実施の形態の会員端末１は、共通サーバ装置２から提供を受けたファクシミリ受信データや電子メールの受信データのうち、保存指示された情報のみをフラッシュメモリ１２４に記憶し、これを利用することができる。
【０１８６】
［コンテンツ情報を利用する場合の動作］
次に、共通サーバ装置２が提供可能なゲームなどのアプリケーションを含むコンテンツ情報を会員端末１に取り込み、これを会員端末１において利用するようにする場合の会員端末１、共通サーバ装置２の動作について、図１０〜図１２のフローチャートを参照しながら説明する。
【０１８７】
会員端末１のＬＣＤ１０５の表示画面に表示された機能一覧メニューからＷＷＷブラウザ機能が選択されているときに、キー釦１０８のうちのオンライン接続キーＫ２が押されると（手順Ｓ４１）、前述のファクシミリ機能や電子メール機能の場合と同様にして、その会員端末１は、フラッシュメモリ１２４に記憶されいる自己の会員端末１の会員識別情報と、ＩＳＰサーバ装置７Ｉを通じた共通サーバ装置２への接続のためのアドレスデータとを用いて、共通サーバ装置２と接続する要求を会員端末１は送出することによって、共通サーバ装置２と接続するための処理を自動的に行う（手順Ｓ４２）。
【０１８８】
この接続要求に対して、ネットワーク管理サーバであるＩＳＰサーバ７Ｉが当該アクセスしてきた端末が会員端末であるかどうかの認証を、接続要求に含まれる会員端末であるか否かの会員識別情報を用いて行い（手順Ｓ４３）、会員端末であれば、共通サーバ装置２に接続する処理を行う（手順Ｓ４４）。
【０１８９】
すると、共通サーバ装置２は、会員端末１からの接続要求を受け取り、接続された会員端末がいずれの会員端末であるかを認識し（手順Ｓ４５）、提供可能な情報提供サービスの一覧リストを接続を要求してきた会員端末１に送る（手順Ｓ４６）。この実施の形態において、共通サーバ装置２が提供可能な情報提供サービスには、例えば、地図情報やニュースなど、表示情報を提供するサービスや、各種ゲームのプログラムなど、会員端末１において実行可能なアプリケーションを提供するサービスなどが含まれている。また、このＷＷＷブラウザ機能において、関連のあるいわゆるハイパーテキスト情報を順次に取得することもできるようにされている。
【０１９０】
会員端末１では、共通サーバ装置２からの提供可能な情報提供サービスの一覧リストを受信し（手順Ｓ４７）、これをＬＣＤ１０５の画面に表示する（手順Ｓ４８）。そして、会員端末１は、ＬＣＤ１０５に表示された提供可能な情報提供サービスの一覧リストから、提供を受けたい情報提供サービスを選択する会員端末１の使用者による選択操作あるいは終了操作を受付ける（手順Ｓ４９）。
【０１９１】
そして、会員端末１は、受け付けた会員端末１の使用者による入力操作は、終了操作か否かを判断し（手順Ｓ５０）、終了操作であると判断したときには、このＷＷＷブラウザ機能を終了させる。手順Ｓ５０の判断処理において、終了操作でないと判断したときには、提供可能な情報提供サービスの選択操作であると判断し、会員端末１の使用者により選択された情報提供サービスの提供を要求するサービス提供要求を生成して、共通サーバ装置２に対して送出する（手順Ｓ５１）。
【０１９２】
共通サーバ装置２は、この会員端末１からのサービス提供要求を受けて、要求されている情報提供サービスが何であるかを解析し（手順Ｓ５２）、この解析の結果、要求に応じて提供するコンテンツ情報を内部メモリ２６Ａあるいはコンテンツ提供装置１１から取得して、要求してきた会員端末１に送る（手順Ｓ５３）。
【０１９３】
次に、会員端末１は、共通サーバ装置２から送信されてきたコンテンツ情報を受信して、ＤＲＡＭ１２３に一時記憶する（手順Ｓ５４）。そして、会員端末１においては、ＤＲＡＭ１２３に一時記憶したコンテンツ情報に対する関連情報がフラッシュメモリ１２４に記憶されているか否かを判断する（手順Ｓ５５）。つまり、手順Ｓ５５においては、ＤＲＡＭ１２３に一時記憶したコンテンツ情報が、この会員端末１において以前に利用され、例えば、このコンテンツ情報による処理が途中で中止されるなどしたために、当該コンテンツ情報に対する関連情報がフラッシュメモリ１２４に記憶されているか否かを判断する処理である。
【０１９４】
手順Ｓ５５の判断処理において、関連情報がフラッシュメモリ１２４に記憶されていると判断した場合には、フラッシュメモリ１２４に記憶されている関連情報により、ＤＲＡＭ１２３に一時記憶したコンテンツ情報に基づく処理をその途中から開始することができるか否かを判断する（手順Ｓ５６）。
【０１９５】
この手順Ｓ５６においては、例えば、ＤＲＡＭ１２３に一時記憶したコンテンツ情報がゲームのプログラムやいわゆるハイパーテキストの検索プログラムなどのアプリケーションであり、フラッシュメモリ１２４に記憶されている関連情報が、これらのアプリケーションの途中結果などの関連情報である場合には、途中からの処理が可能であると判断する。
【０１９６】
また、手順Ｓ５６においては、例えば、ＤＲＡＭ１２３に一時記憶したコンテンツ情報が地図情報の提供サービスやニュースの提供サービスを提供するための情報であり、フラッシュメモリ１２４に記憶されている関連情報が、以前に取得した地図情報やニュースなどである場合には、これらの情報は、途中からの処理を行うためのものでないので、途中からの処理は行わないと判断する。
【０１９７】
そして、手順Ｓ５６の判断処理において、途中からの処理が可能であると判断した場合には、フラッシュメモリ１２４に記憶されている関連情報を用いて、ＤＲＡＭ１２３に一時記憶されているコンテンツ情報に基づく処理を開始する（手順Ｓ５７）。
【０１９８】
この手順Ｓ５７においては、ＤＲＡＭ１２３に一時記憶したコンテンツ情報が、例えばゲームのソフトウエアである場合には、フラッシュメモリ１２４に記憶されている当該ゲームの途中結果などの関連情報を用いて、当該ゲームを途中で中止したところから再開する。また、ＤＲＡＭ１２３に一時記憶したコンテンツ情報が、例えばハイパーテキスト情報の検索プログラムである場合には、ハイパーテキストの検索を途中で中止したところから再開する。
【０１９９】
また、手順Ｓ５５の判断処理において、ＤＲＡＭ１２３に一時記憶したコンテンツ情報に対する関連情報がフラッシュメモリ１２４に記憶されていないと判断した場合、または、ＤＲＡＭ１２３に一時記憶したコンテンツ情報に対する関連情報がフラッシュメモリ１２４に記憶されているが、手順Ｓ５６の判断処理において、フラッシュメモリ１２４に記憶されている関連情報を用いた途中からの処理は可能ではないと判断した場合には、ＤＲＡＭ１２３に一時記憶したコンテンツ情報に基づく処理を始めから開始する（手順Ｓ５８）。
【０２００】
このようにして共通サーバ装置２から提供を受けたコンテンツ情報に基づく処理を途中から開始、あるいは、初めから開始した後、会員端末１は、会員端末１の使用者によりコンテンツ情報に基づく処理であるコンテンツ情報の表示処理やゲームなどのアプリケーションを終了するようにする終了操作が行われたか否かを判断する（手順Ｓ５９）。
【０２０１】
手順Ｓ５９の判断処理により、コンテンツ情報に基づく処理を終わらせる終了操作が行われたと判断したときには、今回利用したＤＲＡＭ１２３に一時記憶されているコンテンツ情報に対する関連情報である、例えば、実行されたアプリケーションの途中結果などの関連情報をフラッシュメモリ１２４に記憶させるか否かの選択操作を受付ける（手順Ｓ６０）。
【０２０２】
そして、今回利用したＤＲＡＭ１２３に記憶されているコンテンツ情報に対する関連情報をフラッシュメモリ１２４に記憶することを選択する操作が行われたか否かを判断し（手順Ｓ６１）、フラッシュメモリ１２４に記憶するようにする選択操作が行われたと判断した場合には、アプリケーションの途中結果などのＤＲＡＭ１２３に一時記憶されているコンテンツ情報に対する関連情報をフラッシュメモリ１２４に転送して記憶する（手順Ｓ６２）。そして、手順Ｓ４８からの処理を繰り返す。
【０２０３】
また、手順Ｓ６１の判断処理において、フラッシュメモリ１２４に記憶することが選択されなかったと判断した場合には、ＤＲＡＭ１２３に一時記憶したコンテンツ情報に対する関連情報を会員端末１のフラッシュメモリ１２４に記憶することなく、手順Ｓ４８からの処理を繰り返す。
【０２０４】
このように、会員端末１は、ＤＲＡＭ１２３に一時記憶されて利用されたコンテンツ情報を利用した結果、保存が必要になった情報であるアプリケーションの途中結果などのコンテンツ情報に対する関連情報だけをフラッシュメモリ１２４に記憶しておくようにし、後に、共通サーバ装置２から再度同じアプリケーションの提供を受けて実行するようにした場合には、フラッシュメモリ１２４に記憶されている関連情報を用いて、そのアプリケーションを中断されたところから開始することができる。つまり、コンテンツ情報として共通サーバ装置から提供を受けたアプリケーション自体を会員端末１に保存しておく必要がない。
【０２０５】
したがって、共通サーバ装置２からゲームＡのソフトウエアの提供を受けて、実行して利用し、このゲームＡを途中で終了する場合に、このゲームＡの途中結果をフラッシュメモリ１２４に記憶するようにしておけば、共通サーバ装置２より別のゲームであるゲームＢの提供を受けてこれを利用した後に、再度ゲームＡの提供を受けて、フラッシュメモリ１２４に記憶されているゲームＡの途中結果を用いることにより、ゲームＡを前回途中で終了させたところから再開させることができる。
【０２０６】
この場合、ゲームＢを終了させるときにゲームＢの途中結果をフラッシュメモリ１２４に保存するようにしておけば、再開させたゲームＡを終了させた後に、ゲームＢのソフトウエアの提供を受けて、このゲームＢについても、前回途中で終了させたところから再開することができる。つまり、ゲームなどのアプリケーションを会員端末１に保持するようにしなくても、共通サーバ装置２から提供を受けるアプリケーションを簡単に変更して用いることができる。
【０２０７】
また、この実施の形態においては、共通サーバ装置２から提供を受ける電子メール、ファクシミリ受信データ、コンテンツ情報を揮発性メモリであるＤＲＡＭ１２３に記憶し、このＤＲＡＭ１２３に記憶された情報を利用することによって、保存が必要になった情報を不揮発性メモリであるフラッシュメモリ１２４に記憶するというように、ＤＲＡＭ１２３とフラッシュメモリ１２４とを使い分けることにより、フラッシュメモリ１２４を効率よく使用することができるので、会員端末１に搭載するフラッシュメモリの記憶容量を大きくする必要もない。
【０２０８】
なお、ＤＲＡＭ１２３に一時記憶したコンテンツ情報に対する関連情報がフラッシュメモリ１２４に記憶されている場合であって、この関連情報を用いてＤＲＡＭ１２３に一時記憶したコンテンツ情報に基づく処理を途中から再開することができる場合に、フラッシュメモリ１２４に記憶されている関連情報を用いて、コンテンツ情報に基づく処理を途中から開始するか否かを選択するようにすることもできる。
【０２０９】
この場合には、図１２のフローチャートを用いて説明した処理において、手順Ｓ５６の判断処理の後であって、関連情報により途中からの処理が可能であると判断された場合に、フラッシュメモリ１２４に記憶されている関連情報を用いて、ＤＲＡＭ１２３に一時記憶したコンテンツ情報に基づく処理をその途中から開始するか否かの選択操作を受け付けるようにする。
【０２１０】
そして、途中から開始することが選択された場合に、手順Ｓ５７の処理を行うようにし、途中から開始することが選択されなかった場合には、ＤＲＡＭ１２３に一時記憶したコンテンツ情報に対する関連情報がフラッシュメモリ１２４に存在していても、当該関連情報を用いることなく、ＤＲＡＭ１２３に一時記憶したコンテンツ情報に基づく処理をその始めから開始するようにするようにすればよい。
【０２１１】
また、ファクシミリ受信データや電子メールの受信データなどの比較的にデータの量が多い情報については、圧縮してフラッシュメモリ１２４に記憶させるようにすることができる。このようにデータ圧縮してフラッシュメモリ１２４に記憶させるようにした場合には、フラッシュメモリ１２４の記憶容量をさらに押さえることができる。
【０２１２】
もちろん、ファクシミリ受信データや電子メールの受信データだけでなく、他の情報についても、フラッシュメモリ１２４に記憶するようにする情報については、データ圧縮した後にフラッシュメモリ１２４に記憶させることができる。
【０２１３】
また、データ圧縮してフラッシュメモリ１２４に記憶させた情報は、データ圧縮に応じた方法で伸長することにより、繰り返し利用することができる。
【０２１４】
また、ＷＷＷブラウザ機能を用いて、共通サーバ装置２から提供を受けたコンテンツ情報のうち、地図情報やニュースなどの情報は、そのコンテンツ情報自体、あるいは、そのコンテンツ情報のアドレスをフラッシュメモリ１２４に記憶することができるものとして説明したが、コンテンツ情報自体をフラッシュメモリ１２４に記憶するようにする場合には、前述したようにデータ圧縮してフラッシュメモリ１２４に記憶するようにしてもよいし、例えば、コンテンツ情報のうちの必要な部分だけを指定して、その指定した部分だけをフラッシュメモリ１２４に記憶させるようにすることもできる。このように提供情報の指定部分だけを記憶させる場合にもデータ圧縮して記憶させることもできる。
【０２１５】
また、前述の実施の形態においては、第１の記憶手段としてＤＲＡＭを用い、第２の記憶手段としてフラッシュメモリを用いるようにしたが、これに限るものではない。第１の記憶手段としては、書き込み読み出しが可能な各種のメモリを用いることができるし、第２の記憶手段としては、不揮発性のメモリであればよい。
【０２１６】
また、会員端末１にメモリカードリーダを搭載し、会員端末１を使用する場合に装填するようにされるメモリカードに、前述の第１の記憶手段に相当するメモリ、あるいは、第２の記憶手段に相当するメモリを設けるようにしてもよいし、その両方を設けるようにすることもできる。
【０２１７】
【発明の効果】
以上説明したように、この発明によれば、第２の記憶手段に記憶されている情報に基づいて、提供情報に基づく処理を途中から開始するか、あるいは、初めから開始するかを適切に判断し、提供情報に応じた処理を途中から開始したり、初めから開始したりすることができるようにされる。
【図面の簡単な説明】
【図１】この発明による情報通信システムが適用されるネットワーク構成の全体の概要を示す図である。
【図２】図１の具体的なネットワーク構成例を示す図である。
【図３】この発明によるサーバ装置の一実施の形態を示すブロック図である。
【図４】この発明による情報通信端末の一実施の形態の外観を示す図である。
【図５】この発明による情報通信端末の一実施の形態のブロック図である。
【図６】この発明による情報通信システムの一実施の形態の情報通信端末においてのＤＲＡＭ（第１の記憶手段）とフラッシュメモリ（第２の記憶手段）とについて説明するための図である。
【図７】この発明による情報通信システムの一実施の形態における情報通信端末においてファクシミリ機能を用いてファクシミリ受信データを取得する場合の処理を説明するためのフローチャートである。
【図８】図７に続くフローチャートである。
【図９】この発明による情報通信システムの一実施の形態における情報通信端末において取り込んだファクシミリ受信データを利用する場合の処理を説明するためのフローチャートである。
【図１０】この発明による情報通信システムの一実施の形態における情報通信端末においてＷＷＷブラウザ機能が実行された場合の処理を説明するためのフローチャートである。
【図１１】図１０に続くフローチャートである。
【図１２】図１１に続くフローチャートである。
【符号の説明】
１…携帯無線通信端末（会員端末）、２…共通サーバ装置、３…携帯無線通信端末用ネットワーク、４…アクセスポイント、５…専用基幹ネットワーク、６…無線基地局、７…ネットワーク管理サーバ装置、１１…コンテンツ提供装置、２１…マスターサーバ、２１Ｍ…メモリ、２２…メールサーバ、２３…ファクシミリサーバ、２４…着信通知サーバ、１００…携帯無線通信端末本体、１０１…蓋、１０２…テンキー、１０３…アンテナ、１０５…ＬＣＤ、１０６…タッチパネル、１０８…キー釦、１２１…システムコントロール部、１２２…ＲＯＭ、１２３…ＤＲＡＭ、１２４…フラッシュメモリ
【図１】
0003982024.tif 000002
【図２】
0003982024.tif 000003
【図３】
0003982024.tif 000004
【図４】
0003982024.tif 000005
【図５】
0003982024.tif 000006
【図６】
0003982024.tif 000007
【図７】
0003982024.tif 000008
【図８】
0003982024.tif 000009
【図９】
0003982024.tif 000010
【図１０】
0003982024.tif 000011
【図１１】
0003982024.tif 000012
【図１２】
0003982024.tif 000013